(57)【特許請求の範囲】
【請求項１】
扉等の開閉機構に設けた電気的開閉手段を開閉制御する制御手段に対して制御信号を無線送信する携帯端末を備えた施解錠制御システムであって、
上記携帯端末が、扉等の開閉機構に対応付けた開閉機構ＩＤを読み取る手段と、この読み取り手段で読み取った開閉機構ＩＤと当該携帯端末に保持された対照用ＩＤとの対応関係の正否を判定する処理手段と、この処理手段が上記対応関係を正しいと判定したとき、当該開閉機構ＩＤに対応した電気的開閉手段の制御手段に対して直接、無線で解錠あるいは施錠許可信号を出力する出力手段とを備えた施解錠制御システム。
【請求項２】
上記携帯端末は、携帯端末ユーザーに対応付けられた上記対照用ＩＤである認証用ＩＤを入力するための入力手段と、目的の上記開閉機構に対応付けられた開閉機構ＩＤに、認証用ＩＤを対応付けて記憶する記憶手段とを備え、上記処理手段は、上記読み取り手段が読み取った開閉機構ＩＤと上記記憶手段に記憶した開閉機構ＩＤとが一致するかどうかを判定する機能と、当該開閉機構ＩＤに対応付けて上記記憶手段に記憶された認証用ＩＤと上記入力手段から入力された認証用ＩＤとが一致するかどうかを判定する機能とを備え、
上記出力手段は、上記開閉機構ＩＤ同士及び上記認証用ＩＤ同士が一致したとき、当該開閉機構ＩＤに対応した電気的開閉手段の制御手段に対して無線で解錠あるいは施錠許可信号を出力する機能を備えた請求項１に記載の施解錠制御システム。
【請求項３】
上記携帯端末は、ユーザーが上記対照用ＩＤである開閉機構ＩＤを入力するための入力手段を備え、上記処理手段は、ユーザーが上記入力手段から入力した開閉機構ＩＤと上記読み取り手段が読み取った開閉機構ＩＤとが一致するかどうかを判定する機能を備え、上記出力手段は、上記開閉機構ＩＤ同士が一致したとき、当該開閉機構ＩＤに対応した電気的開閉手段の制御手段に対して無線で解錠あるいは施錠許可信号を出力する機能を備えた請求項１に記載の施解錠制御システム。
【発明の詳細な説明】
【技術分野】
【０００１】
この発明は、ドアなどに取り付けた電気錠の施解錠を制御するための施解錠制御システムに関するものである。
【背景技術】
【０００２】
従来から、電気錠を設けた出入り口において、出入りを許可された人を判別して解錠するためのシステムが知られている。
例えば、図４に示す施解錠システムは、その出入りを許可された人が、自身のＩＣカードＣを使用してドア１に取り付けられた電気錠を解錠させるシステムである。
具体的には、ドア１に設けた電気錠２に、施解錠を制御する電気錠制御手段３を接続するとともに、ドア１の近くにはＩＣカードＣからカードＩＤを読み取るカード読み取り装置４を設置している。
上記カード読み取り装置４は、ＩＣカードＣからカードＩＤを読み取る読み取り部５と、解錠許可条件を記憶したデータ記憶部６とデータ処理部７とを備えた装置である。
【０００３】
データ処理部７は、上記読み取り部５が読み取ったカードＩＤと記憶部６が記憶している解錠許可条件とを対比して解錠を許可するか否かを判定し、解錠を許可する場合に上記電気錠制御手段３に対して電気錠２を解錠させるための制御信号を出力するというものである。
なお、上記カード読み取り装置４に図示しないデータ入力部を備え、ユーザーがパスワードなどを入力し、上記カードＩＤとともに、入力されたパスワードも利用して解錠を許可すべきかどうかを判定するシステムなども知られている。
いずれにしても、従来から知られているシステムは、上記カード読み取り装置４をドア１付近に設けたものである。
【０００４】
また、このシステムでは、上記電気錠制御手段３及びカード読み取り装置４に電源を供給するための電源８が必要である。この電源８は、電源供給線９を介してカード読み取り装置４のデータ処理部７に接続され、電源供給線１１を介して上記電気錠制御手段３に接続される。
なお、上記データ処理部７と電気錠制御手段３との間には、電気錠２に対して制御信号を送信するための信号線１０を設けている。また、図中符号１２は、電気錠２と電気錠制御手段３とを接続する電源供給線と信号線とを含んだケーブルである。
【先行技術文献】
【特許文献】
【０００５】
【特許文献１】特開２００６−２１４２３４号公報
【特許文献２】特開２００９−２３５８２４号公報
【発明の概要】
【発明が解決しようとする課題】
【０００６】
図４に示す従来の施解錠制御システムでは、上記電気錠２は、ドア１の枠に設けることができるし、電気錠制御手段３及び電源８は、ドア１から離れた場所に設けることができ、その間のケーブル１２及び電源供給線１１も天井裏などに設けることができる。しかし、カード読み取り装置４はドア１付近に設けなければならない。特に、ユーザーがＩＣカードＣを読み取らせるため、読み取り部５は人の手が届く範囲に設置しなければならない。具体的には、ドア１わきの壁面に設けることになる。
【０００７】
そのため、壁面に設けたカード読み取り装置４に電源を供給する電源供給線９や、電気錠制御手段３に制御信号を送信するための信号線１０も壁に配線しなければならない。
ところが、壁が大理石などでできていた場合、内部に配線をすることは困難である。また、ガラス製の壁の場合、配線工事が難しいだけでなく、見た目を損なうという問題もある。
【０００８】
そのため、上記のようなカード読み取り装置をドア付近に設置する従来の施解錠制御システムは、設置可能な場所が制限されるという問題があった。
この発明の目的は、電源供給線や信号線の配線が障害とならずに、設置場所の自由度が高い施解錠制御システムを提供することである。
【課題を解決するための手段】
【０００９】
第１の発明は、扉等の開閉機構に設けた電気的開閉手段を開閉制御する制御手段に対して制御信号を無線送信する携帯端末を備えた施解錠制御システムであって、上記携帯端末が、扉等の開閉機構に対応付けた開閉機構ＩＤを読み取る手段と、この読み取り手段で読み取った開閉機構ＩＤと当該携帯端末に保持された対照用ＩＤとの対応関係の正否を判定する処理手段と、この処理手段が上記対応関係を正しいと判定したとき、当該開閉機構ＩＤに対応した電気的開閉手段の制御手段に対して直接、無線で解錠あるいは施錠許可信号を出力する出力手段とを備えたことを特徴とする。
【００１０】
なお、上記「当該携帯端末に保持された対照用ＩＤ」には、携帯端末の記憶手段などに予め記憶させている対照用ＩＤのほか、一時的に保持されたものも含まれる。一時的に保持された対照用ＩＤとは、例えば、外部から入力され、処理手段が判定処理を行う間だけ保持するような対象用ＩＤである。
また、上記「読み取った開閉機構ＩＤと対照用ＩＤとの対応関係の正否」とは、予め決められた所定の関係を保持しているか否かということであり、両ＩＤが一致するか否かということだけではない。例えば、両ＩＤの和や差が一定値になるというような関係も含まれる。
【００１１】
第２の発明は、第１の発明の携帯端末が、携帯端末ユーザーに対応付けられた上記対照用ＩＤである認証用ＩＤを入力するための入力手段と、目的の上記開閉機構に対応付けられた開閉機構ＩＤに、認証用ＩＤを対応付けて記憶する記憶手段とを備え、上記処理手段は、上記読み取り手段が読み取った開閉機構ＩＤと上記記憶手段に記憶した開閉機構ＩＤとが一致するかどうかを判定する機能と、当該開閉機構ＩＤに対応付けて上記記憶手段に記憶された認証用ＩＤと上記入力手段から入力された認証用ＩＤとが一致するかどうかを判定する機能とを備え、上記出力手段は、上記開閉機構ＩＤ同士及び上記認証用ＩＤ同士が一致したとき、当該開閉機構ＩＤに対応した電気的開閉手段の制御手段に対して無線で解錠あるいは施錠許可信号を出力する機能を備えたことを特徴とする。
【００１２】
第３の発明は、第１の発明の携帯端末が、ユーザーが上記対照用ＩＤである開閉機構ＩＤを入力するための入力手段を備え、上記処理手段は、ユーザーが上記入力手段から入力した開閉機構ＩＤと上記読み取り手段が読み取った開閉機構ＩＤとが一致するかどうかを判定する機能を備え、上記出力手段は、上記開閉機構ＩＤ同士が一致したとき、当該開閉機構ＩＤに対応した電気的開閉手段の制御手段に対して無線で解錠あるいは施錠許可信号を出力する機能を備えたことを特徴とする。
【発明の効果】
【００１３】
第１〜第３の発明によれば、扉等の開閉機構の近くに電源供給線や信号線を必要とする読み取り装置などを設置しないため、壁などに配線をする必要がなくなる。
そのため、配線工事が困難な場所にも、この発明の施解錠制御システムを設置することができるようになる。
【００１４】
第２の発明によれば、携帯端末ユーザーは、どの開閉機構を制御したい場合でも、携帯端末に入力する対照用ＩＤは、自身に対応付けられた認証用ＩＤだけでよい。開閉機構ごとのＩＤを管理する場合と比べて、ＩＤの管理や携帯端末の操作が容易である。
第３の発明によれば、携帯端末が開閉機構ＩＤと対照用ＩＤとの対応関係を記憶する記憶手段を備える必要がなく、携帯端末の構成を単純化できる。
【図面の簡単な説明】
【００１５】
【図１】図１は第１実施形態の施解錠システムを示すブロック図である。
【図２】図２は第１実施形態の記憶部が記憶しているデータの一例を示したテーブルである。
【図３】図３は第２実施形態のシステム構成を示すブロック図である。
【図４】図４は従来の施解錠制御システムを示すブロック図である。
【発明を実施するための形態】
【００１６】
図１に示す第１実施形態の施解錠システムは、開閉機構であるドア１に設けた電気錠２に接続した電気錠制御手段３に対し、この発明の解錠あるいは施錠許可信号である制御信号を出力するシステムで、その制御対象は図４に示す従来のものと同じである。そして、図４に示す従来例と同じ構成要素には、図４と同じ符号を用いている。
なお、上記電気錠２がこの発明の電気的開閉手段である。
また、図１において波線の矢印は、無線によるデータ通信を示したものである。
【００１７】
この第１実施形態のシステムでは、図４の従来システムのＩＣカードＣ及びカード読み取り装置４に変えて、ＩＣタグＴ及び携帯端末Ｍ１を用いた点が特徴である。
上記ＩＣタグＴは、ドア１付近に取り付けられたもので、ドア１に対応づけた開閉機構ＩＤであるドアＩＤを記憶したＩＣタグである。そして、このドアＩＤは、後で説明する携帯端末Ｍ１が備えている読み取り部１３によって読み取り可能に記憶されている。
【００１８】
例えば、タグ内に設けたＩＣチップにドアＩＤを記録し、上記読み取り部１３からの問い合わせ信号に応じて、記憶しているドアＩＤを出力する機能を備えている。このＩＣチップは、上記問い合わせ信号によって誘起される電圧で起動するようにし、電源の接続を不要にしている。
なお、上記ドアＩＤを記憶している記録媒体は、どのような形態でもよく、この実施形態のようなタグのほかシート状などでもよい。
また、上記電気錠２は開閉機構であるドア１に対応づけられているので、上記開閉機構ＩＤとして電気錠２を特定する電気錠ＩＤを用いてもよい。
【００１９】
一方、携帯端末Ｍ１は、上記ＩＣタグＴからドアＩＤを読み取る読み取り手段である読み取り部１３と、この発明の処理手段であるデータ処理部１４と、記憶手段であるデータ記憶部１５と、携帯端末Ｍ１のユーザーがユーザーＩＤを入力するためのデータ入力部１６と、無線通信部１７とを備えている。
上記データ記憶部１５は、ドアＩＤと、そのドアに設けられた電気錠２の解錠を許可されたユーザーのユーザーＩＤを対応づけて記憶している。このユーザーＩＤがこの発明の認証用ＩＤである。例えば、上記データ記憶部１５は、図２に示すドアＩＤとユーザーＩＤとの対応テーブルを記憶している。
なお、図２では、ドアＩＤとユーザーＩＤとを１対１に対応させているが、一つのドア１の制御を許可されているユーザーが複数の場合には、一つのドアＩＤに対して複数のユーザーＩＤが対応づけられることになる。
【００２０】
また、上記データ処理部１４は、上記データ入力部１６から入力されたユーザーＩＤと、上記読み取り部１３がＩＣタグＴから読み取ったドアＩＤとに基づいて、電気錠２を解錠すべきかどうかを判定し、その判定結果に応じた制御信号を出力する機能を備えている。
さらに、上記無線通信部１７は、データ処理部１４から出力される制御信号を、上記電気錠制御手段３に対して無線で送信するこの発明の出力手段である。
【００２１】
次に、この第１実施形態のシステムによって、電気錠２を解錠させる手順を上記データ処理部１４の処理機能を中心に説明する。
まず、ユーザーが携帯端末Ｍ１をＩＣタグＴに近づけて、読み取り部１３を介してドアＩＤを読み取るとともに、データ入力部１６からユーザーＩＤを入力する。
これらのＩＤが外部から入力されたデータ処理部１４は、データ記憶部１５が記憶している対応テーブルに、上記外部から入力されたＩＤの対応関係と一致するＩＤの組み合わせがあるか否かを判定する。
【００２２】
具体的には、読み取り部１３が読み取ったドアＩＤ、例えばＤ１と一致するドアＩＤを上記対応テーブルから検索し、このドアＩＤであるＤ１に対応するユーザーＩＤ、すなわちＹ１を特定する。そして、この特定したユーザーＩＤであるＹ１と上記データ入力部１６から入力されたユーザーＩＤとが一致するかどうかを判定する。その結果、一致するドアＩＤと対応するユーザーＩＤ同士が一致した場合には、上記データ処理部１４は、上記無線通信部１７を介して解錠を指示する制御信号を、上記電気錠制御手段３に対して出力する。
【００２３】
この第１実施形態の施解錠制御システムでは、ドア１付近に設け、ドアＩＤを記憶したＩＣタグＴには、信号線や電源供給線が不要である。
また、携帯端末Ｍ１も、制御信号を無線で送信するので、上記制御部３に信号線を接続する必要もない。電源は、別の場所で供給し、図示しないバッテリに蓄えておくことができる。
従って、図４に示す従来のように、壁面などに電源供給線や信号線を設ける必要がない。そのため、配線工事が困難な場所でもこの施解錠制御システムを利用することができる。
なお、上記電気錠２、ケーブル１２、制御部３、電源供給線１１及び電源８は、天井裏などに設置することが可能である。
【００２４】
また、上記第１実施形態では、携帯端末Ｍ１のデータ入力部１６から入力されるユーザーＩＤが、この発明のユーザーに対応づけられた認証用ＩＤであり、入力後、携帯端末Ｍ１に保持されたこの発明の対照用ＩＤでもある。
そして、データ処理部１４は、上記読み取り部１３が読み取ったドアＩＤとこの対照用ＩＤとの対応関係の正否を、上記記憶部１５が記憶している対応テーブルを参照して判定することになる。
【００２５】
このように、第１実施形態のシステムでは、電気錠２に対応したドアＩＤと施解錠が許可されたユーザーのユーザーＩＤとを対応づけた対応テーブルを、上記データ記憶部１５が記憶しているので、携帯端末Ｍ１のユーザーはどのドア１に対応した電気錠２を制御したい場合にも、同じユーザーＩＤをデータ入力部１６から入力すればよい。つまり、ユーザーは、自身のユーザーＩＤのみを管理すればよく、ＩＤの管理などが単純である。
【００２６】
図３に示す第２実施形態は、上記第１実施形態の携帯端末Ｍ１に替えて携帯端末Ｍ２を用いた点が、上記第１実施形態と異なる。
この携帯端末Ｍ２は、上記携帯端末Ｍ１のデータ記憶部１５を備えていないが、その他の構成は第１実施形態と同じで、ドア１に設けられた電気錠２の施解錠を制御するためのシステムである。そこで、第１実施形態と同じ構成要素には、図１と同じ符号を用いている。
【００２７】
この第２実施形態では、携帯端末Ｍ２のユーザーは、電気錠２を解錠させたいとき、上記読み取り部１３によってＩＣタグからドアＩＤを読み取らせるとともに、データ入力部１６に目的の電気錠２に対応づけられたドアＩＤを入力する。つまり、携帯端末Ｍ２のユーザーは、開けたいドアごとにそのドアに対応するドアＩＤを入力する必要がある。ただし、ドアとドアＩＤとは、必ずしも１対１対応でなくてもよい。
そして、この携帯端末Ｍ２のデータ処理部１４は、データ処理部１４が、読み取り部１３がＩＣタグＴから読み取ったドアＩＤと、データ入力部１６から入力されたドアＩＤとを直接対比してそれらが一致するか否かを判定する。データ処理部１４は、両ＩＤ同士が一致したとき、解錠を指示する制御信号を出力する。
【００２８】
この第２実施形態では、ユーザーがデータ入力部１６から入力するドアＩＤがこの発明の対照用ＩＤである。そして、この実施形態では、入力されたドアＩＤとＩＣタグＴから読み取ったドアＩＤとが一致したとき、両者の対応関係が正しいと判定しているが、読み取ったドアＩＤと対照用ＩＤとが一致しなくても、その対応関係が予め設定された所定の関係をもっている場合には、対応関係が正しいと判定する。所定の関係とは、例えば、上記両ＩＤの和や差が一定値になる関係などである。
このような対応関係は、上記データ処理部１４に設定しておくものとする。
【００２９】
この第２実施形態のシステムでも、ドア１の付近に、ＩＣタグＴを設ければよく、カード読み取り装置など、電源線や信号線を必要とする装置を設ける必要がない。そのため、壁への配線工事が難しい場所でも、このシステムを利用することができる。
【００３０】
上記第１、第２実施形態では、データ処理部１４が、ＩＣタグＴから読み取ったドアＩＤと対照用ＩＤとの対応関係が正しい場合には、電気錠２を解錠させる制御信号を出力させるようにした例を説明している。ただし、解錠ではなく施錠に許可を必要とするに場合は、上記データ処理部１４は上記対応関係が正しいと判定した時に、施錠させるための制御信号を出力させるようにしてもよい。このように、施錠に許可を必要とする場合としては、通常は自由に出入りをさせ、決まった時刻になったときに施錠をする必要がある施設などで、勝手に施錠されると不都合が生じるような場合である。
また、施錠時、解錠時の両方で、それぞれ対照用ＩＤを判定するようにしてもよい。
【産業上の利用可能性】
【００３１】
この発明の施解錠制御システムは、ドアの周囲の壁に配線工事ができなかったり、配線によって外観が損なわれてしまったりするような場所に、配線なしで設けることができる。
【符号の説明】
【００３２】
Ｔ        ＩＣタグ
１        ドア
２        電気錠
３        電気錠制御手段
Ｍ１      携帯端末
１３      読み取り部
１４      データ処理部
１５      データ記憶部
１６      データ入力部
１７      無線通信部
Ｍ２      携帯端末
【図１】
0005930603.tif 000002
【図２】
0005930603.tif 000003
【図３】
0005930603.tif 000004
【図４】
0005930603.tif 000005